(57)【要約】【課題】無線送信するデータ量を小さくする。【解決手段】送信機１は、入力された音の基本周期に関する情報である基本周期情報を生成する基本周期情報生成部と、基本周期情報を含む送信情報を無線送信する送信部とを含む。受信機２は、送信情報を無線受信する受信部と、無線受信した送信情報に含まれる基本周期情報に基づいて入力された音の基本周期についての情報を表示する基本周期表示部とを含む。音信号ではなく基本周期情報を無線送信することにより、無線送信するデータ量が小さくなる。【選択図】図１
2011145375.tif 000002
【特許請求の範囲】
【請求項１】
入力された音の基本周期に関する情報である基本周期情報を生成する基本周期情報生成部と、上記基本周期情報を含む送信情報を無線送信する送信部とを含む送信機と、
上記送信情報を無線受信する受信部と、上記無線受信した送信情報に含まれる基本周期情報に基づいて上記入力された音の基本周期についての情報を表示する基本周期表示部とを含む受信機と、
を含む調律器。
【請求項２】
請求項１に記載の調律器において、
上記送信機は上記送信機のバッテリーの残量に関する情報であるバッテリー残量情報を生成するバッテリー残量情報生成部を更に含み、
上記送信情報は上記バッテリー残量情報を更に含み、
上記受信機は上記無線受信した送信情報に含まれるバッテリー残量情報に基づいて上記送信機のバッテリーの残量についての情報を表示するバッテリー表示部を更に含む、
ことを特徴とする調律器。
【請求項３】
請求項１又は２に記載の調律器において、
上記受信機は入力された音の基本周期に関する情報である基本周期情報を生成する基本周期情報生成部を含み、
上記基本周期表示部は、予め定められた送信機からの送信情報を無線受信していない場合には、上記受信機の基本周期情報生成部が生成した基本周期情報に基づいて上記受信機に入力された音の基本周期についての情報を表示する、
ことを特徴とする調律器。
【請求項４】
請求項２に記載の調律器において、
上記受信機は入力された音の基本周期に関する情報である基本周期情報を生成する基本周期情報生成部を含み、
上記基本周期表示部は、上記送信情報に含まれるバッテリー残量情報に基づいて検出される上記送信機のバッテリーの残量が予め定められたバッテリーの残量よりも小さい場合には、上記受信機の基本周期情報生成部が生成した基本周期情報に基づいて上記受信機に入力された音の基本周期についての情報を表示する、
ことを特徴とする調律器。
【請求項５】
入力された音の基本周期に関する情報である基本周期情報を生成する基本周期情報生成部と、上記基本周期情報を含む送信情報を無線送信する送信部とを含む複数の送信機と、
上記送信情報を無線受信する受信部と、上記無線受信した送信情報に含まれる基本周期情報に基づいて上記複数の送信機のそれぞれに入力された音の基本周期についての情報を表示する複数の基本周期表示部とを含む受信機と、
を含む調律器。
【請求項６】
請求項５に記載の調律器において、
上記複数の基本周期表示部は、上記無線受信した送信情報に含まれる基本周期情報に基づいて、予め定められた送信機に入力された音の基本周期と、上記複数の送信機のそれぞれに入力された音の基本周期との差分についての情報を表示する、
ことを特徴とする調律器。
【発明の詳細な説明】
【技術分野】
【０００１】
この発明は、楽器の調律に用いる調律器に関する。
【背景技術】
【０００２】
楽器にマイクを取り付けて、そのマイクに入力された音信号を調律器に無線送信し、その調律器本体で音信号から基本周期を抽出及び表示する調律器が知られている（例えば、特許文献１参照。）。
【先行技術文献】
【特許文献】
【０００３】
【特許文献１】再公表特許ＷＯ２００６／０４３４６９号公報
【発明の概要】
【発明が解決しようとする課題】
【０００４】
しかしながら、上記の調律器においては、音信号自身を無線送信する必要があり、無線送信するデータ量が大きいという課題があった。
【課題を解決するための手段】
【０００５】
上記の課題を解決するために、音信号ではなく送信機で生成した基本周期情報を受信機に無線送信する。
【発明の効果】
【０００６】
音信号ではなく基本周期情報を無線送信することにより、無線送信するデータ量が小さくなる。これにより、例えば消費電力が小さくなる。
【図面の簡単な説明】
【０００７】
【図１】調律器の例の機能ブロック図。
【図２】調律器の変形例の機能ブロック図。
【図３】送信機の例の機能ブロック図。
【図４】受信機の例の機能ブロック図。
【図５】基本周期表示部の例の機能ブロック図。
【図６】受信機の変形例の機能ブロック図。
【図７】送信機の外観を例示する図。（ａ）は正面図。（ｂ）は左側面図。（ｃ）は右側面図。（ｄ）は背面図。
【図８】受信機の外観を例示する図。（ａ）は正面図。（ｂ）は側面図。（ｃ）は背面図。
【図９】送信機と受信機とを組み合わせた状態を例示する図。（ａ）は正面図。（ｂ）は側面図。（ｃ）は背面図。
【図１０】受信機の変形例の外観を示す図。（ａ）は正面図。（ｂ）は背面図。（ｃ）は受信機の他の変形例の背面図。
【発明を実施するための形態】
【０００８】
以下、この発明の実施の形態について詳細に説明する。
【０００９】
調律器は、図１に示すように、送信機１と受信機２とを例えば含む。
【００１０】
送信機１は、図７（ａ）から（ｄ）に例示するように、略直方体であり、正面の中央部に電源スイッチ１ａを備え、正面の上部に接続端子１ｂを備える。また、右側面に外部入力端子１ｃを備え、この外部入力端子１ｃを介して送信機１に音信号を入力可能である。送信機１の背面にはクリップ１ｄが設けられており、このクリップ１ｄを用いて送信機１を調律の対象となる楽器又は当該楽器用のストラップに容易に取り付けることができる。送信機１は内部に例えば電池であるバッテリー１５を備え、送信機１の背面には、バッテリー１５を保護するための、送信機１に対して着脱自在なバッテリー蓋１ｅが設けられている。
【００１１】
受信機２は、図８（ａ）から（ｃ）に例示するように、略直方体であり、音名表示部２３２、選択基本周期表示部２８、バッテリー残量表示部２１０、ピッチ誤差表示部２３７、基準周期表示部２３４、基準周期設定部２３３、例えば内蔵マイクである入力部２１１、受信機２の電源スイッチ２ａ及び内蔵マイク／ワイヤレス切替スイッチ２ｂが正面に設けられている。また、サウンドアウト端子２ｃ及び外部入力端子２ｄが側面に設けられており、接続端子２ｅが背面に設けられている。
【００１２】
送信機１は、図３に示すように、入力部１１、基本周期情報生成部１２、送信情報生成部１３、送信部１４、送信機側送信機ＩＤ設定部１７を例えば含む。
【００１３】
送信機側送信機ＩＤ設定部１７により送信機ＩＤが設定される。例えば、図９（ａ）から（ｃ）のように、送信機１と受信機２とが組み合わされた状態で、送信機側送信機ＩＤ設定部１７と受信機２の受信機側送信機ＩＤ設定部２７とが接続端子１ｂ及び接続端子２ｅを介して通信を行い共通の送信機ＩＤを設定する。送信機側送信機ＩＤ設定部１７により設定された送信機ＩＤについての情報（送信機ＩＤ情報）は送信情報生成部１３（図３）に送られる。また、受信機側送信機ＩＤ設定部２７により設定された送信機ＩＤ情報は送信機ＩＤ確認部２５（図４）に送られる。
【００１４】
送信機１及び受信機２に共通の送信機ＩＤが設定された後に、送信機１と受信機２とは離され、送信機１は楽器に取り付けられて、受信機２は調律器の使用者が見やすい位置に置かれる。
【００１５】
入力部１１は、入力された音を電気信号に変換する。変換された電気信号である音信号は、基本周期情報生成部１２に送られる。入力部１１は、例えばピエゾ等のピックアップ、マイクロフォンである。
【００１６】
基本周期情報生成部１２は、入力された音信号を用いて、入力された音の基本周期に関する情報である基本周期情報を生成する。生成された基本周期情報は送信情報生成部１３に送られる。基本周期を得るために、ゼロクロス法等の既存の基本周期抽出技術を用いることができる。
【００１７】
送信情報生成部１３は、基本周期情報と送信機ＩＤ情報とを含む送信情報を生成する。生成された送信情報は、送信部１４に送られる。
【００１８】
送信部１４は、送信情報を無線送信する。
【００１９】
受信機２の受信部２１は、送信部１４が無線送信した送信情報を無線受信する。送信情報は、基本周期情報抽出部２２及び送信機ＩＤ情報抽出部２４に送られる。
【００２０】
基本周期情報抽出部２２は、送信情報から基本周期情報を抽出する。抽出された基本周期情報は、基本周期情報選択部２６に送られる。
【００２１】
送信機ＩＤ情報抽出部２４は、送信情報から送信機ＩＤ情報を抽出する。抽出された送信機ＩＤ情報は送信機ＩＤ確認部２５に送られる。
【００２２】
送信機ＩＤ確認部２５は、送信情報が予め定められた送信機から送信されたものであるかどうかを確認する。具体的には、受信した送信情報に含まれる送信機ＩＤ情報から特定される送信機ＩＤと、受信機側送信機ＩＤ設定部２７が生成した送信機ＩＤ情報から特定される送信機ＩＤとが一致しているかどうかを確認する。一致している場合には、その旨の情報を基本周波数情報選択部２６に送信する。
【００２３】
基本周波数情報選択部２６は、両送信機ＩＤが一致しており、かつ、内蔵マイク／ワイヤレス切替スイッチ２ｂによりワイヤレスが選択されている場合には、基本周期情報を基本周期表示部２３に送る。また、選択基本周期表示部２８に、送信機１で入力された音についての基本周期についての情報を表示する旨の表示をする。そのために、図８（ａ）の例では、選択基本周期表示部２８は「ＣＯＮＴＡＣＴ」と表示している。
【００２４】
基本周期表示部２３は、受け取った基本周期情報に基づいて、入力された音についての基本周期についての情報を表示する。基本周期についての情報とは、例えば音名情報、基準周期、ピッチ誤差情報の少なくとも１つである。図８（ａ）の例では、受信機２は、基本周期についての情報として、音名情報、基準周期、ピッチ誤差情報の全てを表示している。
【００２５】
図５に示すように、基本周期表示部２３は、音名決定部２３１、音名表示部２３２、基準周期設定部２３３、基準周期表示部２３４、参照周期決定部２３５、ピッチ誤差決定部２３６、ピッチ誤差表示部２３７を例えば含む。この例では、基本周期表示部２３に入力された基本周期情報は、音名決定部２３１及びピッチ誤差決定部２３６に送られる。
【００２６】
基準周期設定部２３３は基準となる周期を決定するものであり、基準周期表示部２３４は設定された基準周期を表示する。基準周期設定部２３３は、図８（ａ）の例では、調律器の使用者が基準周期を変更するために操作することができるそれぞれ上下に向いた２つの矢印である。上向きの矢印を操作すると基準周期表示部２３４に表示された基準周期が上がり、下向きの矢印を操作すると基準周期表示部２３４に表示された基準周期が下がる。設定された基準周期についての情報は、基準周期表示部２３４、音名決定部２３１及び参照周期決定部２３５に送られる。
【００２７】
音名決定部２３１は、受け取った基本周期情報又は基準周期に基づいて音名を決定する。例えば、受け取った基本周期情報又は基準周期に対応する音名を決定する。決定された音名についての情報は、音名情報表示部２３２及び参照周期決定部２３５に送られる。
【００２８】
参照周期決定部２３５は、ピッチ誤差を決定するための基準となる参照周期を決定する。調律器の使用者が基準周期設定部２３３を用いて設定した基準周期からのピッチ誤差を表示する場合には、基準周期設定部２３３を用いて設定した基準周期を参照周期として決定する。音名情報決定部２３１が決定した音名に対応する周期からのピッチ誤差を表示する場合には、音名情報決定部２３１が決定した音名に対応する周期を参照周期として決定する。参照周期についての情報は、ピッチ誤差決定部２３６に送られる。
【００２９】
ピッチ誤差決定部２３６は、参照周期と受け取った基本周期情報に対応する基本周期との差分であるピッチ誤差を計算して決定する。ピッチ誤差についての情報は、ピッチ誤差表示部２３７に送られて、ピッチ誤差表示部２３７は受け取ったピッチ誤差についての情報に対応する表示を行う。
【００３０】
このように、送信機１が生成した基本周期情報を受信機２に無線送信することにより、ケーブルが不要となり、調律器の配置の自由度が増す。音信号を送らずに、基本周期情報を無線送信することにより、無線送信するデータの量を減らすことができる。また、送信機１から基本周期情報を送ることで、送信機１の消費電力の増加を抑えると共に機能や部品の増加を押さえることが可能となる。
【００３１】
内蔵されたピックアップ等である入力部１１で入力された音ではなく、この外部入力端子１ｃから入力された音信号に対して、基本周期情報を基本周期情報生成部１２（図３）が生成して、調律を行ってもよい。
【００３２】
送信機１から受信機２に無線送信される送信情報の中に、送信機１のバッテリーの残量に関する情報であるバッテリー残量情報が含まれていてもよい。この場合、図３に破線で示すバッテリー残量情報生成部１６がバッテリー１５からバッテリー残量情報を生成して、送信情報生成部１３に送る。送信情報生成部１３は、送信情報にバッテリー残量情報を含める。図４に破線で示すバッテリー残量情報抽出部２９が送信情報からバッテリー残量情報を抽出して、バッテリー残量表示部２１０送る。バッテリー残量表示部２１０は、バッテリー残量情報に基づいて送信機１のバッテリーの残量についての情報を表示する。図８（ａ）から（ｃ）の例では、バッテリー残量表示部２１０は、バッテリーの残量が低下すると、「Ｂａｔｔｅｒｙ」の表示の色を緑から赤に変える。
【００３３】
また、受信機２が、図４に破線で示す、マイク等の入力部２１１及び基本周期情報生成部２１２を備えていてもよい。入力部２１１に入力された音は電気信号である音信号に変換されて基本周期情報生成部２１２に送られる。基本周期情報生成部２１２は、受け取った音信号を用いて、受信機２に入力された音の基本周期に関する情報である基本周期情報を生成する。生成された基本周期情報は基本周期情報選択部２６に送られる。基本周期を得るために、ゼロクロス法等の既存の基本周期抽出技術を用いることができる。
【００３４】
この場合、基本周期情報選択部２６は、送信機１に入力された音に対応する基本周期情報と、受信機２に入力された基本周期情報との何れかを選択する。例えば、受信した送信情報に含まれる送信機ＩＤ情報から特定される送信機ＩＤと、受信機側送信機ＩＤ設定部２７が生成した送信機ＩＤ情報から特定される送信機ＩＤとが一致していない場合、内蔵マイク／ワイヤレス切替スイッチ２ｂにより内蔵マイクが選択されている場合、又は、バッテリー残量情報に基づいて検出される送信機１のバッテリーの残量が予め定められたバッテリーの残量よりも小さい場合、受信機２に入力された音に対応する基本周期情報を選択し、受信機２に入力された音に対応する基本周期についての情報を基本周期表示部２３に表示させる。選択基本周期表示部２８は、受信機２に入力された音に対応する基本周期を表示する旨の表示を行う。図８（ａ）の例では、「ＣＯＮＴＡＣＴ」に代えて、「ＭＩＣ」と表示する。
【００３５】
受信した送信情報に含まれる送信機ＩＤ情報から特定される送信機ＩＤと、受信機側送信機ＩＤ設定部２７が生成した送信機ＩＤ情報から特定される送信機ＩＤとが一致しており、内蔵マイク／ワイヤレス切替スイッチ２ｂによりワイヤレスが選択されており、バッテリー残量情報に基づいて検出される送信機１のバッテリーの残量が予め定められたバッテリーの残量よりも小さくない場合、送信機１に入力された音に対応する基本周期情報を選択し、送信機１に入力された音に対応する基本周期についての情報を基本周期表示部２３に表示させる。選択基本周期表示部２８は、送信機１に入力された音に対応する基本周期を表示する旨の表示を行う。
【００３６】
送信機１は図２に例示するように複数あってもよい。複数の送信機１のそれぞれは、上記説明した送信機１と同様である。複数の送信機１のそれぞれが順次受信機２の接続端子２ｅに装着され、送信機１ごとに異なる送信機ＩＤが設定される。受信機２は、複数の送信機１のそれぞれに入力された音の基本周期についての情報を表示するために、図１０（ａ）に例示するように複数の表示部を備える。換言すれば、図６に例示するように、複数の基本周期情報抽出部２２及び基本周期表示部２３を有する。送信機ＩＤ情報抽出部２４は送信情報から送信機ＩＤ情報を抽出して、送信機ＩＤ確認部２５はその送信機ＩＤ情報から特定される送信機ＩＤが受信機側送信機ＩＤ設定部２７で設定された送信機ＩＤと同じであるかどうかを確認する。
【００３７】
確認できた後は、振分部２１３は、各送信情報を、その各送信情報に対応する送信機ＩＤに応じて基本周期情報抽出部２２に振り分ける。なお、送信機ＩＤと、基本周期情報抽出部２２及び基本周期表示部２３とを対応付けておく。各基本周期情報抽出部２２は送信情報から基本周期情報を抽出して、各基本周期表示部２３は抽出された基本周期情報に対応する表示を行う。更にバッテリー残量情報抽出部２９及びバッテリー残量表示部２１０が複数設けられている場合には、振分部２１３は、各送信情報を、その各送信情報に対応する送信機ＩＤに応じてバッテリー残量情報抽出部２９に更に振り分ける。各バッテリー残量情報抽出部２９は送信情報からバッテリー残量情報を抽出して、各バッテリー残量表示部２１０は抽出されたバッテリー残量情報に対応する表示を行う。
【００３８】
送信機１が複数ある場合においても、入力部２１１及び基本周期情報生成部２１２を受信機２に設けてもよい。基本周期情報生成部２１２により生成された基本周期情報は振分部２１３に送られる。受信機２に対応する基本周期情報抽出部２２及び基本周期表示部２３がある場合には、振分部２１３は基本周期情報生成部２１２により生成された基本周期情報をその受信機２に対応する基本周期情報抽出部２２に送る。
【００３９】
送信機１が複数ある場合には、図１０（ｃ）に例示するように、受信機２に複数の接続端子２ｅを設けてもよい。複数の接続端子２ｅに複数の送信機１を装着することにより、同時に複数の送信機１に送信機１ごとに異なる送信機ＩＤを設定することができ、送信機ＩＤの設定を容易にすることができる。
【００４０】
送信機１が複数ある場合には、複数の基本周期表示部２３が、予め定められた送信機に入力された音の基本周期と、複数の送信機のそれぞれに入力された音の基本周期との差分についての情報（例えば、ピッチ誤差）を表示するようにしてもよい。この場合、図６に一点鎖線で示す第二基準周期決定部２１４に、各基本周期情報抽出部２２で抽出された基本周期情報が送られる。第二基準周期決定部２１４は、基準周期設定部２３３（図５）に代わり、受け取った複数の基本周期情報の中の何れか１つの基本周期情報で特定される基本周期を基準周期として決定する。例えば、調律器の使用者が図示されていないスイッチ等により予め選択した送信機に対応する基本周期情報で特定される基本周期を基準周期として決定する。または、受け取った複数の基本周期情報の中からランダムに１つの基本周期情報を選択して、その選択された基本周期情報で特定される基本周期を基準周期として決定する。
【００４１】
決定された基準周期についての情報は、各基本周期表示部２３の音名決定部２３１及び参照周期決定部２３５に送られる。各基本周期表示部２３に共通の基準周期が設定されることにより、各基本周期表示部２３のピッチ誤差表示部２３７は、その共通の基準周期と、複数の送信機のそれぞれに入力された音の基本周期との差分を表示することになる。
【００４２】
この発明は、上述の実施形態に限定されるものではなく、本発明の趣旨を逸脱しない範囲で適宜変更が可能である。
【００４３】
例えば、対象となる楽器の発音時に、当該楽器のストラップを通じて振動を入力する場合に、送信機１を当該楽器用ストラップにも取り付けたり、当該ストラップと一体としたものとする事もできる。
【符号の説明】
【００４４】
１  送信機
１２  基本周期情報生成部
１４  送信部
１６  バッテリー残量情報生成部
２  受信機
２１  受信部
２３  基本周期表示部
２１０  バッテリー残量表示部
【図１】
2011145375.tif 000003
【図２】
2011145375.tif 000004
【図３】
2011145375.tif 000005
【図４】
2011145375.tif 000006
【図５】
2011145375.tif 000007
【図６】
2011145375.tif 000008
【図７】
2011145375.tif 000009
【図８】
2011145375.tif 000010
【図９】
2011145375.tif 000011
【図１０】
2011145375.tif 000012